(57)【要約】【課題】吸入グリルの動作がスムーズで、吸込口をふさぐ面積を最小限に抑え、かつ安価な空気調和機を提供する。【解決手段】室内ユニット本体２の下面に取り付けられると共に吸込口８を有する化粧パネル７に設けられた昇降装置１２と、吸込フィルター１１を保持し複数箇所にワイヤー１３が連結された吸入グリル１０とを備え、２個のモーター１４ａ、１４ｂの先端にそれぞれ取り付けられたリール１６を介してワイヤー１３を巻きとって吸込口８に、吸入グリル１０を収納する空気調和機において、２個のモーター１４ａ、１４ｂを昇降装置１２に並列に配置し、それぞれのリール１６に固定されているワイヤー１３の一方をガイド１７、２１を通し、先端を化粧パネル７の対角に固定すると共に、２つのモーター１４ａ、１４ｂ間に、モーター１４ａ、１４ｂを駆動する電源ＢＯＸ１５を配置する。【選択図】図１
2010112643.tif 000002
【特許請求の範囲】
【請求項１】
熱交換器、送風機等を内蔵する室内ユニット本体の下面に取り付けられると共に吸込口を有する化粧パネルと、前記化粧パネルに設けられた昇降装置と、吸込フィルターを保持すると共に複数箇所にワイヤーが連結された吸入グリルとを備え、２個のモーターの先端にそれぞれ取り付けられたリールを介して前記ワイヤーをそれぞれ巻き取ることにより、前記吸込口に、前記吸入グリルを収納する空気調和機において、前記２個のモーターを前記昇降装置に並列に配置し、前記それぞれのリールに固定されている前記ワイヤーの一方をガイドを通し、先端を前記化粧パネルの対角に固定すると共に、前記２つのモーター間に前記２つのモーターを駆動するための電源ＢＯＸを配置することを特徴とする空気調和機。
【請求項２】
ガイドとして、吸入グリルに設けられたワイヤ連結用のガイドを使用することを特徴とする請求項１に記載の空気調和機。
【発明の詳細な説明】
【技術分野】
【０００１】
本発明は、空気調和機に関するもので、特に、吸込フィルターの清掃を容易にする昇降装置を備えた空気調和機に関するものである。
【背景技術】
【０００２】
従来、この種の空気調和機の吸込フィルターのメンテナンスにおいて、脚立などに上がって高所で作業する危険および手間を無くすための方策がいくつか考案されている（例えば、特許文献１参照）。
【０００３】
図５は、上記特許文献１に記載された従来の空気調和機の縦断面図を示すものである。また、図６は、同空気調和機の昇降グリルの斜視図である。図５および図６に示すように、従来の空気調和機は、天井１内に埋設された室内ユニット本体２の内部に、熱交換器３と、ドレンパン４と、送風機５と、送風機５を回転駆動するファンモーター６等が配置され、この室内ユニット本体２には、その下部開口を覆う化粧パネル７が着脱自在に装着されている。化粧パネル７の中央部には、吸込口８が形成され、この吸込口８の両側には吹出口９が形成されている。吸込口８には、吸入グリル１０が嵌合され、その背後には吸込フィルター１１が着脱自在に係止されている。
【０００４】
化粧パネル７内に、吸入グリル１０を昇降させる昇降装置１２が配置されている。昇降装置１２には、ワイヤー１３を巻き取るためのモーター１４ａ、１４ｂを駆動させるための電源ＢＯＸ１５が配置されており、電装ＢＯＸ１５をはさんで、正逆転可能なモーター１４ａ、１４ｂが対角に配置されている。モーター１４ａ、１４ｂの先端にリール１６が取り付けられており、リール１６に吸入グリル１０を昇降させるためのワイヤー１３が取り付けられている。吸入グリル１０には、ガイド１７が４コーナーに取り付けられており、ワイヤー１３を通して吸入グリル１０を保持している。
【０００５】
以上のように構成された昇降装置を備えた従来の空気調和機について、以下その動作を説明する。
【０００６】
吸込フィルター１１を洗浄する場合には、モーター１４ａ、１４ｂを逆回転させる。そして、リール１６からワイヤー１３が巻き戻されて、吸入グリル１０がほぼ水平状態のまま所定の高さまで降下したときモーター１４ａ、１４ｂを停止させる。この状態で、床上の作業者が、吸入グリル１０から吸込フィルター１１を取り外してこれを洗浄する。洗浄が終了すれば、吸込フィルター１１を吸入グリル１０に再び取り付け、モーター１４ａ、１４ｂを正回転させることにより、リール１６がワイヤー１３を巻き取る。そして、吸入グリル１０が上昇して化粧パネル７の吸入グリル収納部１８に到達したとき、モーター１４ａ、１４ｂを停止させて、吸入グリル１０の収納が完了する。
【特許文献１】特開２００１−３３０５９号公報
【発明の開示】
【発明が解決しようとする課題】
【０００７】
しかしながら、前記従来の空気調和機の構成では、モーター１４ａ、１４ｂを並列に配置すると、ワイヤー１３の摩擦抵抗は、モーター１４ａ、１４ｂ側と反モーター１４ａ、１４ｂ側とを比較すると、モーター１４ａ、１４ｂ側が大きくなるため、吸入グリル１０のモーター１４ａ、１４側が上に傾いた状態で上昇し、吸入グリル１０の反モーター１４ａ、１４ｂ側が下に傾いた状態で下降してしまうため、吸入グリル１０がほぼ水平状態を保ちながら上昇および下降できるように、モーター１４ａ、１４ｂが昇降装置１２内には
対角に配置されている。昇降装置１２内に配置されているモーター１４ａ、１４ｂが対角に配置されているため、モーター１４ａ、１４ｂを動かすためのモーターリード線１９を電源ＢＯＸ１５内に引き込む必要があるため、モーターリード線１９を長くする必要があるという課題を有していた。
【０００８】
また、昇降装置１２内に配置されているモーター１４ａ、１４ｂが対角に配置されているため、モーター１４ａ、１４ｂおよび電源ＢＯＸ１５の配置がばらばらであり、室内ユニット本体２の吸込口８の多くの部分をふさいでしまうという課題を有していた。
【０００９】
本発明は、前記従来の課題を解決するもので、吸入グリルの動作をスムーズにし、室内ユニット本体の吸込口をふさぐ面積を最小限に抑え、かつ安価な昇降装置を備えた空気調和機を提供することを目的とする。
【課題を解決するための手段】
【００１０】
前記従来の課題を解決するために、本発明の空気調和機は、熱交換器、送風機等を内蔵する室内ユニット本体の下面に取り付けられると共に吸込口を有する化粧パネルと、前記化粧パネルに設けられた昇降装置と、吸込フィルターを保持すると共に複数箇所にワイヤーが連結された吸入グリルとを備え、２個のモーターの先端にそれぞれ取り付けられたリールを介して前記ワイヤーをそれぞれ巻き取ることにより、前記吸込口に、前記吸入グリルを収納する空気調和機において、前記２個のモーターを前記昇降装置に並列に配置し、前記それぞれのリールに固定されている前記ワイヤーの一方をガイドを通し、先端を前記化粧パネルの対角に固定すると共に、前記２つのモーター間に前記２つのモーターを駆動するための電源ＢＯＸを配置するもので、モーターおよび電装ＢＯＸが１辺に配置されるので、部品の配置面積を少なくすることができ、吸入グリルの動作をスムーズに行うことができ、又、吸込口をふさぐ面積を最小限に抑え、かつ安価な昇降装置を備えた空気調和機を提供することができる。
【発明の効果】
【００１１】
本発明の空気調和機は、吸入グリルの動作がスムーズで、また、昇降装置に配置された部品による室内ユニット本体の吸込口をふさぐ面積を最小限に抑えることができる。
【発明を実施するための最良の形態】
【００１２】
第１の発明は、熱交換器、送風機等を内蔵する室内ユニット本体の下面に取り付けられると共に吸込口を有する化粧パネルと、前記化粧パネルに設けられた昇降装置と、吸込フィルターを保持すると共に複数箇所にワイヤーが連結された吸入グリルとを備え、２個のモーターの先端にそれぞれ取り付けられたリールを介して前記ワイヤーをそれぞれ巻き取ることにより、前記吸込口に、前記吸入グリルを収納する空気調和機において、前記２個のモーターを前記昇降装置に並列に配置し、前記それぞれのリールに固定されている前記ワイヤーの一方をガイドを通し、先端を前記化粧パネルの対角に固定すると共に、前記２つのモーター間に前記２つのモーターを駆動するための電源ＢＯＸを配置するもので、モーターおよび電装ＢＯＸが１辺に配置されるので、部品の配置面積を少なくすることができ、吸入グリルの動作をスムーズに行うことができ、又、吸込口をふさぐ面積を最小限に抑え、かつ安価な昇降装置を備えた空気調和機を提供することができる。
【００１３】
第２の発明は、特に、第１の発明のガイドとして、吸入グリルに設けられたワイヤ連結用のガイドを使用するもので、部品の共用化が出来るので、安価な昇降装置を備えた空気調和機の提供が可能となる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の縦断面図を示すものである。また、図２は同空気調和機の昇降グリル斜視図を示すものである。なお、上記従来の空気調和機と同一部分には、同一符号を付してその説明を省略する。
【００１６】
図１および図２において、天井１内に埋設された室内ユニット本体２の内部に、熱交換器３と、ドレンパン４と、送風機５と、送風機５を回転駆動するファンモーター６等が配置され、この室内ユニット本体２には、その下部開口を覆う化粧パネル７が着脱自在に装着されている。化粧パネル７の中央部には、吸込口８が形成され、この吸込口８の両側には吹出口９が形成されている。吸込口８には、吸入グリル１０が嵌合され、その背後には吸込フィルター１１が着脱自在に係止されている。
【００１７】
化粧パネル７に取り付けられた昇降装置１２には、正逆回転可能なモーター１４ａ、１４ｂが並列に固定されている。モーター１４ａ、１４ｂの間に、モーター１４ａ、１４ｂを駆動するための電装ＢＯＸ１５が配置されており、モーター１４ａ、１４ｂのモーターリード線１９が電装ＢＯＸ１５内に配線されている。モーター１４ａ、１４ｂの先端にはそれぞれリール１６が取り付けられており、モーター１４ａ、１４ｂが回転することにより、リール１６に取り付けられたワイヤー１３を巻き取ったり、降ろしたりすることで吸入グリル１０が上昇および下降するようになっている。
【００１８】
２個のモーター１４ａ、１４ｂで吸入グリル１０を動かすため、ワイヤー１３は２本必要であり、ワイヤー１３は、１本あたり、吸入グリル１０に取り付けられているガイド１７の２個を保持し、それぞれのワイヤー１３の先端２０は、化粧パネル７の対角位置で固定される。ワイヤー１３のうち１本は、モーター１４ａの位置から真下へ引き回しされ、吸入グリル１０に取り付けられているガイド１７を介してモーター１４ａの対面側にワイヤー１３の先端２０が固定される。
【００１９】
もう１本のワイヤー１３は、モーター１４ｂの真下へは引き回さず、モーター１４ｂの対面側にガイド２１を設け、ガイド２１を介してモーター１４ｂとは対面側から真下へ引き回しされる。モーター１４ｂの対面側から真下へ引き回しされたワイヤー１３は、吸入グリル１０に取り付けられているガイド１７を介してモーター１４ｂの真下からモーター１４ｂの近傍へ引き回され、モーター１４ｂ近傍で先端２０が固定される。
【００２０】
以上のように構成された本実施の形態における空気調和機について、以下その動作、作用を説明する。
【００２１】
まず、吸入グリル１０の上昇時、モーター１４ａ、１４ｂが回転することにより、ワイヤー１３が、リール１６に巻き取られて吸入グリル１０が上昇する。その際、モーター１４ａ側のワイヤー１３の最初にかかる摩擦抵抗は、吸入グリル１０に取り付けられているガイド１７部となる。これに対して、モーター１４ｂ側のワイヤー１３の最初にかかる摩擦抵抗は、化粧パネル７に取り付けられているガイド２１部となる。ガイド１７部の摩擦抵抗とガイド２１部の摩擦抵抗はほぼ等しく、ガイド１７とガイド２１は対角に配置されているため、吸入グリル１０はほぼ水平を保ちながら上昇する。
【００２２】
同様に、吸入グリル１０の下降時も、ガイド１７部の摩擦抵抗とガイド２１部の摩擦抵抗はほぼ等しく、またガイド１７とガイド２１は対角に配置されているため、吸入グリル１０はほぼ水平を保ちながら下降する。
【００２３】
以上のように、本実施の形態においては、モーター１４ａ、１４ｂを並列に配置し、ワ
イヤー１３の摩擦抵抗を片側に集中させることなく、ワイヤー１３を巻き取る構造とし、モーター１４ａ、４ｂおよび電源ＢＯＸ１５を１辺に配置させることにより、部品の配置面積を少なくすることができるため、吸入グリル１０の動作をスムーズに行うことが可能であり、室内ユニット本体２の吸込口８をふさぐ面積を最小限に抑え、かつ安価な昇降装置１２を備えた空気調和機を提供することができる。
【００２４】
（実施の形態２）
図３は、本発明の第２の実施の形態における空気調和機の吸入グリルのガイド詳細図、図４は、同空気調和機の昇降装置内のガイド取り付け詳細図である。なお、上記第１の実施の形態における空気調和機と同一部分は、同一符号を付してその説明を省略する。
【００２５】
本実施の形態は、図３および図４に示すように、モーター１４ｂに取り付けられているワイヤー１３を通すためのガイド２１が、昇降装置１２内に設けられている。ワイヤー１３は、ガイド２１を通って、吸入グリル１０に取り付けられているガイド１７へ接続される。この際、昇降装置１２内に設けられガイド２１には、吸入グリル１０に取り付けられているガイド１７を用いる。
【００２６】
以上のように、本実施の形態においては、吸入グリル１０の水平保持用のガイド２１として、吸入グリル１０にワイヤー１３を連結するために用いられるガイド１７を使用することにより、部品の共用化が可能となり、安価な昇降装置を備えた空気調和機を提供することができる。
【産業上の利用可能性】
【００２７】
以上のように、本発明にかかる空気調和機は、モーターを並列に配置し、ワイヤーの摩擦抵抗を片側に集中させることなく、ワイヤーを巻き取る構造とし、モーターおよび電源ＢＯＸを１辺に配置させることにより、部品の配置面積を少なくすることができるため、エアコン以外の昇降装置を備えたものにも適用できる。
【図面の簡単な説明】
【００２８】
【図１】本発明の実施の形態１における空気調和機の縦断面図
【図２】同空気調和機の昇降グリル斜視図
【図３】本発明の実施の形態２における空気調和機の吸入グリルのガイド詳細図
【図４】同空気調和機の昇降装置内ガイド取り付け詳細図
【図５】従来の空気調和機の縦断面図
【図６】同空気調和機の昇降グリル斜視図
【符号の説明】
【００２９】
１  天井
２  室内ユニット本体
３  熱交換器
４  ドレンパン
５  送風機
６  ファンモーター
７  化粧パネル
８  吸込口
９  吹出口
１０  吸入グリル
１１  吸込フィルター
１２  昇降装置
１３  ワイヤー
１４ａ、１４ｂ  モーター
１５  電源ＢＯＸ
１６  リール
１７、２１  ガイド
１８  吸入グリル収納部
１９  モーターリード線
２０  先端
【図１】
2010112643.tif 000003
【図２】
2010112643.tif 000004
【図３】
2010112643.tif 000005
【図４】
2010112643.tif 000006
【図５】
2010112643.tif 000007
【図６】
2010112643.tif 000008